(57)【要約】【課題】本発明は乾燥しやすい靴下及び付帯装置を開示した。【解決手段】本発明は乾燥しやすい靴下及び付帯装置を開示し、主体と靴下を含み、前記主体の中には主チャンバが設置されており、前記主チャンバの中にはスライド箱がスライドできるように取り付けられ、前記スライド箱の頂端には押し引きブロックが固定的に設置されており、前記スライド箱の中には乾燥チャンバが設置されており、手動で転輪を回す必要がなく、便利に使用でき、前記乾燥機構は電熱線と大羽根と小羽根が同時に作業して靴下を乾燥させることを実現でき、乾燥する時間が縮まり、それに回転輪の回転によって、靴下を均一に乾燥でき、それに本装置の伝動構造が簡単で、故障が出にくく、便利に修理できる。【選択図】図１
2020180771.tif 000002
【特許請求の範囲】
【請求項１】
正面視で、主体と靴下を含み、前記主体の中には主チャンバが設置されており、前記主チャンバの中にはスライド箱がスライドできるように取り付けられ、前記スライド箱の頂端には押し引きブロックが固定的に設置されており、前記スライド箱の中には乾燥チャンバが設置されており、前記乾燥チャンバの中には支持機構と乾燥機構が設置されており、前記支持機構は前記靴下を支持でき、前記スライド箱の底端には底チャンバが設置されており、前記主体の底端には両側が相互に対称的に設置される支持ブロックが設置されており、片側の前記支持ブロックを例として詳しく説明し、前記支持ブロックの前側端面には踏み棒がヒンジで設置され、前記踏み棒の片側にはリンクがヒンジで連結され、前記主体の底端には伝動歯車が回転できるように設置されており、前記リンクの片側端と前記伝動歯車とがヒンジで連結され、前記伝動歯車の頂部には小軸が回転できるように設置されており、前記小軸の頂端には上歯車が固定的に設置されており、前記小軸の底端には下歯車が固定的に設置されており、前記下歯車と前記伝動歯車とが噛み合い、前記主体の片側端面の中には扉軸が回転できるように設置されており、前記扉軸の一端には扉が固定的に設置されており、前記扉が回転して開くことができ、前記扉の頂部には押し引き棒が固定的に設置されており、前記押し引き棒が回転して開ける時に前記押し引きブロックを前へ引き出し、それにより前記スライド箱を前へスライドさせることを特徴とする乾燥しやすい靴下及び付帯装置。
【請求項２】
前記支持機構は前記乾燥チャンバの底壁の中に設置される支持軸を含み、前記支持軸の頂端には支持ボードが固定的に設置されており、前記支持軸の底端には前記底チャンバの中に位置する支持軸傘歯車が固定的に設置されており、前記支持ボードの中には中部チャンバが設置されており、前記中部チャンバの両側端壁の中にはいずれも横軸が回転できるように設置されており、前記横軸の片側端には横軸動力歯車が固定的に設置されており、前記横軸のもう一端には横軸従動歯車が固定的に設置されており、前記横軸従動歯車の後側には転輪傘歯車が噛合設置されており、前記転輪傘歯車の後側端には回転輪が伝動できるように連結され、前記回転輪の両側が対称的に設置されており、前記回転輪の片側端には六組の支持棒が固定的に設置されており、前記支持ボードの頂端には上へ伸びている手回し軸が固定的に設置されており、前記手回し軸の頂端には手回しハンドルが固定的に設置されており、前記支持軸の中には中軸が回転できるように設置されており、前記中軸の頂端には中軸頂歯車が固定的に設置されており、前記中軸頂歯車と前記横軸動力歯車とが噛合設置されており、前記中軸の底端には中軸傘歯車が固定的に設置されており、前記主チャンバの片側端壁の中には回転モーターが固定的に嵌めており、前記回転モーターの一端には底軸が伝動できるように連結され、前記底軸  の一端には底軸傘歯車が固定的に設置されており、前記回転モーターが底軸を回転連動させ、前記支持軸と前記中軸とを逆方向に回転させ、それにより回転輪を回転させ、同時に支持ボードが回転し、それにより前記支持棒に掛けた靴下を回転させて便利に乾燥させることを特徴とする請求項１に記載の乾燥しやすい靴下及び付帯装置。
【請求項３】
前記乾燥機構は前記乾燥チャンバの片側端壁の中に嵌めているモーターを含み、前記モーターの片側端には動力軸が伝動できるように連結され、前記動力軸の片側端には小羽根が固定的に設置されており、前記動力軸の外壁には動力プーリが円周方向に固定的に設置されており、前記動力プーリと、前記小羽根と前記動力軸とが上下に対称的に設置され、上下に対称的な前記の間が底部ベルトによって伝動できるように連結され、頂部に位置する前記動力軸の外壁には動力傘歯車が固定的に設置されており、前記乾燥チャンバの頂壁の中にはベルトチャンバが設置されており、前記ベルトチャンバの底壁の中には上下に伸びて設置される伝動軸が回転できるように設置されており、前記伝動軸の底端には伝動軸傘歯車が固定的に設置されており、前記伝動軸傘歯車と前記動力傘歯車とが噛合設置され、前記伝動軸の頂端には前記ベルトチャンバの中に位置する伝動プーリが固定的に設置されており、前記伝動プーリの片側にはプーリ軸が回転できるように設置されており、前記プーリ軸と前記伝動軸との間には頂部ベルトにより伝動できるように連結され、前記プーリ軸の片側には頂部回転軸が回転できるように設置されており、前記頂部回転軸と前記プーリ軸との底端にはいずれも前記乾燥チャンバの中に位置する大羽根が固定的に設置されており、前記頂部回転軸と前記プーリ軸との間が中部ベルトによって伝動できるように連結され、前記中部ベルトが前記ベルトチャンバの中に位置し、前記手回し軸が前記ベルトチャンバを貫通し、前記モーターが回転し、前記動力軸を回転させ、それにより前記小羽根を回転させて送風させ、同時に前記動力傘歯車が前記伝動軸傘歯車を連動させ前記伝動軸を回転連動させ、それにより前記プーリ軸と前記頂部回転軸を回転させ、それにより前記大羽根を回転させて送風させ、前記乾燥チャンバの前後端壁には電熱線が固定的に設置されることを特徴とする請求項１または請求項２に記載の乾燥しやすい靴下及び付帯装置。
【請求項４】
前記靴下の中の底部にはソフトパッキンが固定的に設置されており、前記ソフトパッキンが弾性的に設置され、緩衝でき、前記靴下のレッグ部には通気穴が設置されており、前記通気穴が乾燥することに便利であることを特徴とする請求項１または請求項２または請求項３に記載の乾燥しやすい靴下及び付帯装置。
【発明の詳細な説明】
【技術分野】
【０００１】
本発明は乾燥技術分野を取り上げて、具体的には乾燥しやすい靴下及び付帯装置である。
【背景技術】
【０００２】
靴下乾燥器は靴下を乾燥する設備であり、それは風力と電熱線によって、靴下の中の水分を蒸発させ、それにより靴下を乾燥する目的を達成し、ところが現有の靴下乾燥機は、乾燥効率が低く、乾燥する量も限りがあり、それに均一に乾燥できなく、常に一部の靴下が先に乾燥され、他の靴下がまだ乾燥されない現象があり、それに現有の装置は使用が不便で、操作が面倒くさく、そのため、作業効率が高く均一に乾燥でき使用便利な靴下乾燥機を提供する必要がある。
【先行技術文献】
【特許文献】
【０００３】
【特許文献１】中国特許出願公開第１０８３０１１７７号明細書
【発明の概要】
【発明が解決しようとする課題】
【０００４】
本発明の目的は乾燥しやすい靴下及び付帯装置を提供し、それは現有の技術の上記欠点を克服でき、便利に使用される。
【課題を解決するための手段】
【０００５】
本発明の乾燥しやすい靴下及び付帯装置は、主体と靴下を含み、前記主体の中には主チャンバが設置されており、前記主チャンバの中にはスライド箱がスライドできるように取り付けられ、前記スライド箱の頂端には押し引きブロックが固定的に設置されており、前記スライド箱の中には乾燥チャンバが設置されており、前記乾燥チャンバの中には支持機構と乾燥機構が設置されており、前記支持機構は前記靴下を支持でき、前記スライド箱の底端には底チャンバが設置されており、前記主体の底端には両側が相互に対称的に設置される支持ブロックが設置されており、片側の前記支持ブロックを例として詳しく説明し、前記支持ブロックの前側端面には踏み棒がヒンジで設置され、前記踏み棒の片側にはリンクがヒンジで連結され、前記主体の底端には伝動歯車が回転できるように設置されており、前記リンクの片側端と前記伝動歯車とがヒンジで連結され、前記伝動歯車の頂部には小軸が回転できるように設置されており、前記小軸の頂端には上歯車が固定的に設置されており、前記小軸の底端には下歯車が固定的に設置されており、前記下歯車と前記伝動歯車とが噛み合い、前記主体の片側端面の中には扉軸が回転できるように設置されており、前記扉軸の一端には扉が固定的に設置されており、前記扉が回転して開くことができ、前記扉の頂部には押し引き棒が固定的に設置されており、前記押し引き棒が回転して開ける時に前記押し引きブロックを前へ引き出し、それにより前記スライド箱を前へスライドさせる。
【０００６】
更なる技術方案、前記支持機構は前記乾燥チャンバの底壁の中に設置される支持軸を含み、前記支持軸の頂端には支持ボードが固定的に設置されており、前記支持軸の底端には前記底チャンバの中に位置する支持軸傘歯車が固定的に設置されており、前記支持ボードの中には中部チャンバが設置されており、前記中部チャンバの両側端壁の中にはいずれも横軸が回転できるように設置されており、前記横軸の片側端には横軸動力歯車が固定的に設置されており、前記横軸のもう一端には横軸従動歯車が固定的に設置されており、前記横軸従動歯車の後側には転輪傘歯車が噛合設置されており、前記転輪傘歯車の後側端には回転輪が伝動できるように連結され、前記回転輪の両側が対称的に設置されており、前記回転輪の片側端には六組の支持棒が固定的に設置されており、前記支持ボードの頂端には上へ伸びている手回し軸が固定的に設置されており、前記手回し軸の頂端には手回しハンドルが固定的に設置されており、前記支持軸の中には中軸が回転できるように設置されており、前記中軸の頂端には中軸頂歯車が固定的に設置されており、前記中軸頂歯車と前記横軸動力歯車とが噛合設置されており、前記中軸の底端には中軸傘歯車が固定的に設置されており、前記主チャンバの片側端壁の中には回転モーターが固定的に嵌めており、前記回転モーターの一端には底軸が伝動できるように連結され、前記底軸  の一端には底軸傘歯車が固定的に設置されており、前記回転モーターが底軸を回転連動させ、前記支持軸と前記中軸とを逆方向に回転させ、それにより回転輪を回転させ、同時に支持ボードが回転し、それにより前記支持棒に掛けた靴下を回転させて便利に乾燥させる。
【０００７】
更なる技術方案、前記乾燥機構は前記乾燥チャンバの片側端壁の中に嵌めているモーターを含み、前記モーターの片側端には動力軸が伝動できるように連結され、前記動力軸の片側端には小羽根が固定的に設置されており、前記動力軸の外壁には動力プーリが円周方向に固定的に設置されており、前記動力プーリと、前記小羽根と前記動力軸とが上下に対称的に設置され、上下に対称的な前記の間が底部ベルトによって伝動できるように連結され、頂部に位置する前記動力軸の外壁には動力傘歯車が固定的に設置されており、前記乾燥チャンバの頂壁の中にはベルトチャンバが設置されており、前記ベルトチャンバの底壁の中には上下に伸びて設置される伝動軸が回転できるように設置されており、前記伝動軸の底端には伝動軸傘歯車が固定的に設置されており、前記伝動軸傘歯車と前記動力傘歯車とが噛合設置され、前記伝動軸の頂端には前記ベルトチャンバの中に位置する伝動プーリが固定的に設置されており、前記伝動プーリの片側にはプーリ軸が回転できるように設置されており、前記プーリ軸と前記伝動軸との間には頂部ベルトにより伝動できるように連結され、前記プーリ軸の片側には頂部回転軸が回転できるように設置されており、前記頂部回転軸と前記プーリ軸との底端にはいずれも前記乾燥チャンバの中に位置する大羽根が固定的に設置されており、前記頂部回転軸と前記プーリ軸との間が中部ベルトによって伝動できるように連結され、前記中部ベルトが前記ベルトチャンバの中に位置し、前記手回し軸が前記ベルトチャンバを貫通し、前記モーターが回転し、前記動力軸を回転させ、それにより前記小羽根を回転させて送風させ、同時に前記動力傘歯車が前記伝動軸傘歯車を連動させ前記伝動軸を回転連動させ、それにより前記プーリ軸と前記頂部回転軸を回転させ、それにより前記大羽根を回転させて送風させ、前記乾燥チャンバの前後端壁には電熱線が固定的に設置される。
【０００８】
更なる技術方案、前記靴下の中の底部にはソフトパッキンが固定的に設置されており、前記ソフトパッキンが弾性的に設置され、緩衝でき、前記靴下のレッグ部には通気穴が設置されており、前記通気穴が乾燥することに便利である。
【発明の効果】
【０００９】
以上により、本装置の前記支持機構は一つの靴下を掛けごとに回転して、手動で転輪を回す必要がなく、便利に使用でき、前記乾燥機構は電熱線と大羽根と小羽根が同時に作業して靴下を乾燥させることを実現でき、乾燥する時間が縮まり、それに回転輪の回転によって、靴下を均一に乾燥でき、それに本装置の伝動構造が簡単で、故障が出にくく、便利に修理できる。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の乾燥しやすい靴下及び付帯装置の正面図
【図２】図２は本発明の回転輪の構成模式図
【図３】図３は本発明の靴下の構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本説明書（いかなる付加特許請求と、摘要と付図を含み）の中に公開されるいかなる特徴は特別な叙述以外、ほかの同等或いは似る目的のある切替特徴に切り替えられる。即ち、特別な叙述以外、特徴はシリーズの同等或いは似る特徴の中の一つの例だけである。
【００１４】
図１〜図３に示されるように、本発明の乾燥しやすい靴下及び付帯装置は、主体１００と靴下５００を含み、前記主体１００の中には主チャンバ１１３が設置されており、前記主チャンバ１１３の中にはスライド箱１３７がスライドできるように取り付けられ、前記スライド箱１３７の頂端には押し引きブロック１２８が固定的に設置されており、前記スライド箱１３７の中には乾燥チャンバ１２０が設置されており、前記乾燥チャンバ１２０の中には支持機構と乾燥機構が設置されており、前記支持機構は前記靴下５００を支持でき、前記スライド箱１３７の底端には底チャンバ１１４が設置されており、前記主体１００の底端には両側が相互に対称的に設置される支持ブロック１０３が設置されており、片側の前記支持ブロック１０３を例として詳しく説明し、前記支持ブロック１０３の前側端面には踏み棒１０９がヒンジで設置され、前記踏み棒１０９の片側にはリンク１０８がヒンジで連結され、前記主体１００の底端には伝動歯車１０４が回転できるように設置されており、前記リンク１０８の片側端と前記伝動歯車１０４とがヒンジで連結され、前記伝動歯車１０４の頂部には小軸１０７が回転できるように設置されており、前記小軸１０７の頂端には上歯車１０５が固定的に設置されており、前記小軸１０７の底端には下歯車１０６が固定的に設置されており、前記下歯車１０６と前記伝動歯車１０４とが噛み合い、前記主体１００の片側端面の中には扉軸１１１が回転できるように設置されており、前記扉軸１１１の一端には扉１１２が固定的に設置されており、前記扉１１２が回転して開くことができ、前記扉１１２の頂部には押し引き棒１２７が固定的に設置されており、前記押し引き棒１２７が回転して開ける時に前記押し引きブロック１２８を前へ引き出し、それにより前記スライド箱１３７を前へスライドさせる。
【００１５】
有益なように、前記支持機構は前記乾燥チャンバ１２０の底壁の中に設置される支持軸１１８を含み、前記支持軸１１８の頂端には支持ボード１４７が固定的に設置されており、前記支持軸１１８の底端には前記底チャンバ１１４の中に位置する支持軸傘歯車１１７が固定的に設置されており、前記支持ボード１４７の中には中部チャンバ１５０が設置されており、前記中部チャンバ１５０の両側端壁の中にはいずれも横軸１４６が回転できるように設置されており、前記横軸１４６の片側端には横軸動力歯車１４９が固定的に設置されており、前記横軸１４６のもう一端には横軸従動歯車１５１が固定的に設置されており、前記横軸従動歯車１５１の後側には転輪傘歯車１５２が噛合設置されており、前記転輪傘歯車１５２の後側端には回転輪１２２が伝動できるように連結され、前記回転輪１２２の両側が対称的に設置されており、前記回転輪１２２の片側端には六組の支持棒１２３が固定的に設置されており、前記支持ボード１４７の頂端には上へ伸びている手回し軸１３１が固定的に設置されており、前記手回し軸１３１の頂端には手回しハンドル１３０が固定的に設置されており、前記支持軸１１８の中には中軸１１９が回転できるように設置されており、前記中軸１１９の頂端には中軸頂歯車１４８が固定的に設置されており、前記中軸頂歯車１４８と前記横軸動力歯車１４９とが噛合設置されており、前記中軸１１９の底端には中軸傘歯車１１５が固定的に設置されており、前記主チャンバ１１３の片側端壁の中には回転モーター１０１が固定的に嵌めており、前記回転モーター１０１の一端には底軸１０２が伝動できるように連結され、前記底軸１０２  の一端には底軸傘歯車１１６が固定的に設置されており、前記回転モーター１０１が底軸１０２を回転連動させ、前記支持軸１１８と前記中軸１１９とを逆方向に回転させ、それにより回転輪１２２を回転させ、同時に支持ボード１４７が回転し、それにより前記支持棒１２３に掛けた靴下を回転させて便利に乾燥させる。
【００１６】
有益なように、前記乾燥機構は前記乾燥チャンバ１２０の片側端壁の中に嵌めているモーター１４０を含み、前記モーター１４０の片側端には動力軸１４１が伝動できるように連結され、前記動力軸１４１の片側端には小羽根１３８が固定的に設置されており、前記動力軸１４１の外壁には動力プーリ１４３が円周方向に固定的に設置されており、前記動力プーリ１４３と、前記小羽根１３８と前記動力軸１４１とが上下に対称的に設置され、上下に対称的な前記１４３の間が底部ベルト１４４によって伝動できるように連結され、頂部に位置する前記動力軸１４１の外壁には動力傘歯車１４２が固定的に設置されており、前記乾燥チャンバ１２０の頂壁の中にはベルトチャンバ１３２が設置されており、前記ベルトチャンバ１３２の底壁の中には上下に伸びて設置される伝動軸１３６が回転できるように設置されており、前記伝動軸１３６の底端には伝動軸傘歯車１３９が固定的に設置されており、前記伝動軸傘歯車１３９と前記動力傘歯車１４２とが噛合設置され、前記伝動軸１３６の頂端には前記ベルトチャンバ１３２の中に位置する伝動プーリ１３５が固定的に設置されており、前記伝動プーリ１３５の片側にはプーリ軸１３３が回転できるように設置されており、前記プーリ軸１３３と前記伝動軸１３６との間には頂部ベルト１３４により伝動できるように連結され、前記プーリ軸１３３の片側には頂部回転軸１２５が回転できるように設置されており、前記頂部回転軸１２５と前記プーリ軸１３３との底端にはいずれも前記乾燥チャンバ１２０の中に位置する大羽根１２４が固定的に設置されており、前記頂部回転軸１２５と前記プーリ軸１３３との間が中部ベルト１２９によって伝動できるように連結され、前記中部ベルト１２９が前記ベルトチャンバ１３２の中に位置し、前記手回し軸１３１が前記ベルトチャンバ１３２を貫通し、前記モーター１４０が回転し、前記動力軸１４１を回転させ、それにより前記小羽根１３８を回転させて送風させ、同時に前記動力傘歯車１４２が前記伝動軸傘歯車１３９を連動させ前記伝動軸１３６を回転連動させ、それにより前記プーリ軸１３３と前記頂部回転軸１２５を回転させ、それにより前記大羽根１２４を回転させて送風させ、前記乾燥チャンバ１２０の前後端壁には電熱線１４５が固定的に設置される。
【００１７】
有益なように、前記靴下５００の中の底部にはソフトパッキン３００が固定的に設置されており、前記ソフトパッキン３００が弾性的に設置され、緩衝でき、前記靴下５００のレッグ部には通気穴３０１が設置されており、前記通気穴３０１が乾燥することに便利である。
【００１８】
以下、付図１〜３及び上記の本願発明の乾燥しやすい靴下及び付帯装置の具体的な構造を参考してその使い方を詳しく説明し、まず、初期状態の時、スライド箱１３７が最大程度に主チャンバ１１３の中に位置し、扉１１２が閉じる状態にあり、同時に底軸傘歯車１１６を支持軸傘歯車１１７と中軸傘歯車１１５と噛み合わせる。
【００１９】
本装置は作業する時、まず操作員が手動でに扉１１２を開け、押し引き棒１２７を回転させ、それにより押し引きブロック１２８を滑り出させ、スライド箱１３７を片側にスライドさせ、中軸傘歯車１１５と上歯車１０５とを噛み合わせ、この時操作員が靴下を支持棒１２３に掛け、同時に踏み棒１０９を踏み、リンク１０８を回転させ、リンク１０８が伝動歯車１０４を回転連動させ、それにより上歯車１０５を中軸傘歯車１１５を回転連動させ、中軸１１９が回転し、それにより中軸頂歯車１４８が横軸１４６を回転連動させ、それにより転輪傘歯車１５２を回転させ、それにより回転輪１１２を回転できるようにさせ、そしてもう一つを掛け、片側の支持棒１２３がいっぱいになると手動でハンドル１３０を回して支持ボード１４７を回転させ、そしてもう一つの側にいっぱいまで掛け、そして手動で扉１１２を閉じ、底軸傘歯車１１６を支持軸傘歯車１１７と中軸傘歯車１１５と噛み合わせ、この時回転モーター１０１を始動し、回転モーター１０１が底軸１０２を回転連動させ、支持軸１１８と中軸１１９とを逆方向に回転させ、それにより支持ボード１４７と回転輪１２２を回転させ、同時にモーター１４０を始動し、動力軸１４１が小羽根１３８を回転連動させ、同時に伝動軸１３６を回転連動させ、それによりプーリ軸１３３と頂部回転軸１２５を回転させ、それにより大羽根１２４と小羽根１３８を送風させ、同時に電熱線１４５が始動して靴下を乾燥させる。
【００２０】
本発明の実施例を示して説明したうえ、本分野の技術者にとって、本発明の総体精神や発想から離脱しない場合で、以上の実施例に各種な変形と、変化と、切替と変形ができ、本発明の範囲は付着される特許文献及びそれと同等物に制限されるべきである。
【図１】
2020180771.tif 000003
【図２】
2020180771.tif 000004
【図３】
2020180771.tif 000005
【手続補正書】
【提出日】令和2年1月11日(2020.1.11)
【手続補正１】
【補正対象書類名】特許請求の範囲
【補正対象項目名】全文
【補正方法】変更
【補正の内容】
【特許請求の範囲】
【請求項１】
正面視で、主体と靴下を含み、前記主体の中には主チャンバが設置されており、前記主チャンバの中にはスライド箱がスライドできるように取り付けられ、前記スライド箱の頂端には押し引きブロックが固定的に設置されており、前記スライド箱の中には乾燥チャンバが設置されており、前記乾燥チャンバの中には支持機構と乾燥機構が設置されており、前記支持機構は前記靴下を支持でき、前記スライド箱の底端には底チャンバが設置されており、前記主体の底端には両側が相互に対称的に設置される支持ブロックが設置されており、左側に位置する前記支持ブロックの前側端面には踏み棒がヒンジで設置され、前記踏み棒の片側にはリンクがヒンジで連結され、前記主体の底端には伝動歯車が回転できるように設置されており、前記リンクの片側端と前記伝動歯車とがヒンジで連結され、前記伝動歯車の頂部には小軸が回転できるように設置されており、前記小軸の頂端には上歯車が固定的に設置されており、前記小軸の底端には下歯車が固定的に設置されており、前記下歯車と前記伝動歯車とが噛み合い、前記主体の片側端面の中には扉軸が回転できるように設置されており、前記扉軸の一端には扉が固定的に設置されており、前記扉が回転して開くことができ、前記扉の頂部には押し引き棒が固定的に設置されており、前記押し引き棒が回転して開ける時に前記押し引きブロックを前へ引き出し、それにより前記スライド箱を前へスライドさせ、
前記支持機構は前記乾燥チャンバの底壁の中に設置される支持軸を含み、前記支持軸の頂端には支持ボードが固定的に設置されており、前記支持軸の底端には前記底チャンバの中に位置する支持軸傘歯車が固定的に設置されており、前記支持ボードの中には中部チャンバが設置されており、前記中部チャンバの両側端壁の中にはいずれも横軸が回転できるように設置されており、前記横軸の片側端には横軸動力歯車が固定的に設置されており、前記横軸のもう一端には横軸従動歯車が固定的に設置されており、前記横軸従動歯車の後側には転輪傘歯車が噛合設置されており、前記転輪傘歯車の後側端には回転輪が伝動できるように連結され、前記回転輪の両側が対称的に設置されており、前記回転輪の片側端には六組の支持棒が固定的に設置されており、前記支持ボードの頂端には上へ伸びている手回し軸が固定的に設置されており、前記手回し軸の頂端には手回しハンドルが固定的に設置されており、前記支持軸の中には中軸が回転できるように設置されており、前記中軸の頂端には中軸頂歯車が固定的に設置されており、前記中軸頂歯車と前記横軸動力歯車とが噛合設置されており、前記中軸の底端には中軸傘歯車が固定的に設置されており、前記主チャンバの片側端壁の中には回転モーターが固定的に嵌めており、前記回転モーターの一端には底軸が伝動できるように連結され、前記底軸  の一端には底軸傘歯車が固定的に設置されており、前記回転モーターが底軸を回転連動させ、前記支持軸と前記中軸とを逆方向に回転させ、それにより回転輪を回転させ、同時に支持ボードが回転し、それにより前記支持棒に掛けた靴下を回転させて便利に乾燥させ、
前記乾燥機構は前記乾燥チャンバの片側端壁の中に嵌めているモーターを含み、前記モーターの片側端には動力軸が伝動できるように連結され、前記動力軸の片側端には小羽根が固定的に設置されており、前記動力軸の外壁には動力プーリが円周方向に固定的に設置されており、前記動力プーリと、前記小羽根と前記動力軸とが上下に対称的に設置され、上下に対称的な前記の間が底部ベルトによって伝動できるように連結され、頂部に位置する前記動力軸の外壁には動力傘歯車が固定的に設置されており、前記乾燥チャンバの頂壁の中にはベルトチャンバが設置されており、前記ベルトチャンバの底壁の中には上下に伸びて設置される伝動軸が回転できるように設置されており、前記伝動軸の底端には伝動軸傘歯車が固定的に設置されており、前記伝動軸傘歯車と前記動力傘歯車とが噛合設置され、前記伝動軸の頂端には前記ベルトチャンバの中に位置する伝動プーリが固定的に設置されており、前記伝動プーリの片側にはプーリ軸が回転できるように設置されており、前記プーリ軸と前記伝動軸との間には頂部ベルトにより伝動できるように連結され、前記プーリ軸の片側には頂部回転軸が回転できるように設置されており、前記頂部回転軸と前記プーリ軸との底端にはいずれも前記乾燥チャンバの中に位置する大羽根が固定的に設置されており、前記頂部回転軸と前記プーリ軸との間が中部ベルトによって伝動できるように連結され、前記中部ベルトが前記ベルトチャンバの中に位置し、前記手回し軸が前記ベルトチャンバを貫通し、前記モーターが回転し、前記動力軸を回転させ、それにより前記小羽根を回転させて送風させ、同時に前記動力傘歯車が前記伝動軸傘歯車を連動させ前記伝動軸を回転連動させ、それにより前記プーリ軸と前記頂部回転軸を回転させ、それにより前記大羽根を回転させて送風させ、前記乾燥チャンバの前後端壁には電熱線が固定的に設置されることを特徴とする乾燥しやすい靴下及び付帯装置。
【請求項２】
前記靴下の中の底部にはソフトパッキンが固定的に設置されており、前記ソフトパッキンが弾性的に設置され、緩衝でき、前記靴下のレッグ部には通気穴が設置されており、前記通気穴が乾燥することに便利であることを特徴とする請求項１に記載の乾燥しやすい靴下及び付帯装置。
【手続補正２】
【補正対象書類名】明細書
【補正対象項目名】全文
【補正方法】変更
【補正の内容】
【発明の詳細な説明】
【技術分野】
【０００１】
本発明は乾燥技術分野を取り上げて、具体的には乾燥しやすい靴下及び付帯装置である。
【背景技術】
【０００２】
靴下乾燥器は靴下を乾燥する設備であり、それは風力と電熱線によって、靴下の中の水分を蒸発させ、それにより靴下を乾燥する目的を達成し、ところが現有の靴下乾燥機は、乾燥効率が低く、乾燥する量も限りがあり、それに均一に乾燥できなく、常に一部の靴下が先に乾燥され、他の靴下がまだ乾燥されない現象があり、それに現有の装置は使用が不便で、操作が面倒くさく、そのため、作業効率が高く均一に乾燥でき使用便利な靴下乾燥機を提供する必要がある。
【先行技術文献】
【特許文献】
【０００３】
【特許文献１】中国特許出願公開第１０８３０１１７７号明細書
【発明の概要】
【発明が解決しようとする課題】
【０００４】
本発明の目的は乾燥しやすい靴下及び付帯装置を提供し、それは現有の技術の上記欠点を克服でき、便利に使用される。
【課題を解決するための手段】
【０００５】
本発明の乾燥しやすい靴下及び付帯装置は、主体と靴下を含み、前記主体の中には主チャンバが設置されており、前記主チャンバの中にはスライド箱がスライドできるように取り付けられ、前記スライド箱の頂端には押し引きブロックが固定的に設置されており、前記スライド箱の中には乾燥チャンバが設置されており、前記乾燥チャンバの中には支持機構と乾燥機構が設置されており、前記支持機構は前記靴下を支持でき、前記スライド箱の底端には底チャンバが設置されており、前記主体の底端には両側が相互に対称的に設置される支持ブロックが設置されており、左側に位置する前記支持ブロックの前側端面には踏み棒がヒンジで設置され、前記踏み棒の片側にはリンクがヒンジで連結され、前記主体の底端には伝動歯車が回転できるように設置されており、前記リンクの片側端と前記伝動歯車とがヒンジで連結され、前記伝動歯車の頂部には小軸が回転できるように設置されており、前記小軸の頂端には上歯車が固定的に設置されており、前記小軸の底端には下歯車が固定的に設置されており、前記下歯車と前記伝動歯車とが噛み合い、前記主体の片側端面の中には扉軸が回転できるように設置されており、前記扉軸の一端には扉が固定的に設置されており、前記扉が回転して開くことができ、前記扉の頂部には押し引き棒が固定的に設置されており、前記押し引き棒が回転して開ける時に前記押し引きブロックを前へ引き出し、それにより前記スライド箱を前へスライドさせる。
【０００６】
更なる技術方案、前記支持機構は前記乾燥チャンバの底壁の中に設置される支持軸を含み、前記支持軸の頂端には支持ボードが固定的に設置されており、前記支持軸の底端には前記底チャンバの中に位置する支持軸傘歯車が固定的に設置されており、前記支持ボードの中には中部チャンバが設置されており、前記中部チャンバの両側端壁の中にはいずれも横軸が回転できるように設置されており、前記横軸の片側端には横軸動力歯車が固定的に設置されており、前記横軸のもう一端には横軸従動歯車が固定的に設置されており、前記横軸従動歯車の後側には転輪傘歯車が噛合設置されており、前記転輪傘歯車の後側端には回転輪が伝動できるように連結され、前記回転輪の両側が対称的に設置されており、前記回転輪の片側端には六組の支持棒が固定的に設置されており、前記支持ボードの頂端には上へ伸びている手回し軸が固定的に設置されており、前記手回し軸の頂端には手回しハンドルが固定的に設置されており、前記支持軸の中には中軸が回転できるように設置されており、前記中軸の頂端には中軸頂歯車が固定的に設置されており、前記中軸頂歯車と前記横軸動力歯車とが噛合設置されており、前記中軸の底端には中軸傘歯車が固定的に設置されており、前記主チャンバの片側端壁の中には回転モーターが固定的に嵌めており、前記回転モーターの一端には底軸が伝動できるように連結され、前記底軸  の一端には底軸傘歯車が固定的に設置されており、前記回転モーターが底軸を回転連動させ、前記支持軸と前記中軸とを逆方向に回転させ、それにより回転輪を回転させ、同時に支持ボードが回転し、それにより前記支持棒に掛けた靴下を回転させて便利に乾燥させる。
【０００７】
更なる技術方案、前記乾燥機構は前記乾燥チャンバの片側端壁の中に嵌めているモーターを含み、前記モーターの片側端には動力軸が伝動できるように連結され、前記動力軸の片側端には小羽根が固定的に設置されており、前記動力軸の外壁には動力プーリが円周方向に固定的に設置されており、前記動力プーリと、前記小羽根と前記動力軸とが上下に対称的に設置され、上下に対称的な前記の間が底部ベルトによって伝動できるように連結され、頂部に位置する前記動力軸の外壁には動力傘歯車が固定的に設置されており、前記乾燥チャンバの頂壁の中にはベルトチャンバが設置されており、前記ベルトチャンバの底壁の中には上下に伸びて設置される伝動軸が回転できるように設置されており、前記伝動軸の底端には伝動軸傘歯車が固定的に設置されており、前記伝動軸傘歯車と前記動力傘歯車とが噛合設置され、前記伝動軸の頂端には前記ベルトチャンバの中に位置する伝動プーリが固定的に設置されており、前記伝動プーリの片側にはプーリ軸が回転できるように設置されており、前記プーリ軸と前記伝動軸との間には頂部ベルトにより伝動できるように連結され、前記プーリ軸の片側には頂部回転軸が回転できるように設置されており、前記頂部回転軸と前記プーリ軸との底端にはいずれも前記乾燥チャンバの中に位置する大羽根が固定的に設置されており、前記頂部回転軸と前記プーリ軸との間が中部ベルトによって伝動できるように連結され、前記中部ベルトが前記ベルトチャンバの中に位置し、前記手回し軸が前記ベルトチャンバを貫通し、前記モーターが回転し、前記動力軸を回転させ、それにより前記小羽根を回転させて送風させ、同時に前記動力傘歯車が前記伝動軸傘歯車を連動させ前記伝動軸を回転連動させ、それにより前記プーリ軸と前記頂部回転軸を回転させ、それにより前記大羽根を回転させて送風させ、前記乾燥チャンバの前後端壁には電熱線が固定的に設置される。
【０００８】
更なる技術方案、前記靴下の中の底部にはソフトパッキンが固定的に設置されており、前記ソフトパッキンが弾性的に設置され、緩衝でき、前記靴下のレッグ部には通気穴が設置されており、前記通気穴が乾燥することに便利である。
【発明の効果】
【０００９】
以上により、本装置の前記支持機構は一つの靴下を掛けごとに回転して、手動で転輪を回す必要がなく、便利に使用でき、前記乾燥機構は電熱線と大羽根と小羽根が同時に作業して靴下を乾燥させることを実現でき、乾燥する時間が縮まり、それに回転輪の回転によって、靴下を均一に乾燥でき、それに本装置の伝動構造が簡単で、故障が出にくく、便利に修理できる。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の乾燥しやすい靴下及び付帯装置の正面図
【図２】図２は本発明の回転輪の構成模式図
【図３】図３は本発明の靴下の構成模式図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本説明書（いかなる付加特許請求と、摘要と付図を含み）の中に公開されるいかなる特徴は特別な叙述以外、ほかの同等或いは似る目的のある切替特徴に切り替えられる。即ち、特別な叙述以外、特徴はシリーズの同等或いは似る特徴の中の一つの例だけである。
【００１４】
図１〜図３に示されるように、本発明の乾燥しやすい靴下及び付帯装置は、主体１００と靴下５００を含み、前記主体１００の中には主チャンバ１１３が設置されており、前記主チャンバ１１３の中にはスライド箱１３７がスライドできるように取り付けられ、前記スライド箱１３７の頂端には押し引きブロック１２８が固定的に設置されており、前記スライド箱１３７の中には乾燥チャンバ１２０が設置されており、前記乾燥チャンバ１２０の中には支持機構と乾燥機構が設置されており、前記支持機構は前記靴下５００を支持でき、前記スライド箱１３７の底端には底チャンバ１１４が設置されており、前記主体１００の底端には両側が相互に対称的に設置される支持ブロック１０３が設置されており、左側に位置する前記支持ブロック１０３の前側端面には踏み棒１０９がヒンジで設置され、前記踏み棒１０９の片側にはリンク１０８がヒンジで連結され、前記主体１００の底端には伝動歯車１０４が回転できるように設置されており、前記リンク１０８の片側端と前記伝動歯車１０４とがヒンジで連結され、前記伝動歯車１０４の頂部には小軸１０７が回転できるように設置されており、前記小軸１０７の頂端には上歯車１０５が固定的に設置されており、前記小軸１０７の底端には下歯車１０６が固定的に設置されており、前記下歯車１０６と前記伝動歯車１０４とが噛み合い、前記主体１００の片側端面の中には扉軸１１１が回転できるように設置されており、前記扉軸１１１の一端には扉１１２が固定的に設置されており、前記扉１１２が回転して開くことができ、前記扉１１２の頂部には押し引き棒１２７が固定的に設置されており、前記押し引き棒１２７が回転して開ける時に前記押し引きブロック１２８を前へ引き出し、それにより前記スライド箱１３７を前へスライドさせる。
【００１５】
有益なように、前記支持機構は前記乾燥チャンバ１２０の底壁の中に設置される支持軸１１８を含み、前記支持軸１１８の頂端には支持ボード１４７が固定的に設置されており、前記支持軸１１８の底端には前記底チャンバ１１４の中に位置する支持軸傘歯車１１７が固定的に設置されており、前記支持ボード１４７の中には中部チャンバ１５０が設置されており、前記中部チャンバ１５０の両側端壁の中にはいずれも横軸１４６が回転できるように設置されており、前記横軸１４６の片側端には横軸動力歯車１４９が固定的に設置されており、前記横軸１４６のもう一端には横軸従動歯車１５１が固定的に設置されており、前記横軸従動歯車１５１の後側には転輪傘歯車１５２が噛合設置されており、前記転輪傘歯車１５２の後側端には回転輪１２２が伝動できるように連結され、前記回転輪１２２の両側が対称的に設置されており、前記回転輪１２２の片側端には六組の支持棒１２３が固定的に設置されており、前記支持ボード１４７の頂端には上へ伸びている手回し軸１３１が固定的に設置されており、前記手回し軸１３１の頂端には手回しハンドル１３０が固定的に設置されており、前記支持軸１１８の中には中軸１１９が回転できるように設置されており、前記中軸１１９の頂端には中軸頂歯車１４８が固定的に設置されており、前記中軸頂歯車１４８と前記横軸動力歯車１４９とが噛合設置されており、前記中軸１１９の底端には中軸傘歯車１１５が固定的に設置されており、前記主チャンバ１１３の片側端壁の中には回転モーター１０１が固定的に嵌めており、前記回転モーター１０１の一端には底軸１０２が伝動できるように連結され、前記底軸１０２  の一端には底軸傘歯車１１６が固定的に設置されており、前記回転モーター１０１が底軸１０２を回転連動させ、前記支持軸１１８と前記中軸１１９とを逆方向に回転させ、それにより回転輪１２２を回転させ、同時に支持ボード１４７が回転し、それにより前記支持棒１２３に掛けた靴下を回転させて便利に乾燥させる。
【００１６】
有益なように、前記乾燥機構は前記乾燥チャンバ１２０の片側端壁の中に嵌めているモーター１４０を含み、前記モーター１４０の片側端には動力軸１４１が伝動できるように連結され、前記動力軸１４１の片側端には小羽根１３８が固定的に設置されており、前記動力軸１４１の外壁には動力プーリ１４３が円周方向に固定的に設置されており、前記動力プーリ１４３と、前記小羽根１３８と前記動力軸１４１とが上下に対称的に設置され、上下に対称的な前記１４３の間が底部ベルト１４４によって伝動できるように連結され、頂部に位置する前記動力軸１４１の外壁には動力傘歯車１４２が固定的に設置されており、前記乾燥チャンバ１２０の頂壁の中にはベルトチャンバ１３２が設置されており、前記ベルトチャンバ１３２の底壁の中には上下に伸びて設置される伝動軸１３６が回転できるように設置されており、前記伝動軸１３６の底端には伝動軸傘歯車１３９が固定的に設置されており、前記伝動軸傘歯車１３９と前記動力傘歯車１４２とが噛合設置され、前記伝動軸１３６の頂端には前記ベルトチャンバ１３２の中に位置する伝動プーリ１３５が固定的に設置されており、前記伝動プーリ１３５の片側にはプーリ軸１３３が回転できるように設置されており、前記プーリ軸１３３と前記伝動軸１３６との間には頂部ベルト１３４により伝動できるように連結され、前記プーリ軸１３３の片側には頂部回転軸１２５が回転できるように設置されており、前記頂部回転軸１２５と前記プーリ軸１３３との底端にはいずれも前記乾燥チャンバ１２０の中に位置する大羽根１２４が固定的に設置されており、前記頂部回転軸１２５と前記プーリ軸１３３との間が中部ベルト１２９によって伝動できるように連結され、前記中部ベルト１２９が前記ベルトチャンバ１３２の中に位置し、前記手回し軸１３１が前記ベルトチャンバ１３２を貫通し、前記モーター１４０が回転し、前記動力軸１４１を回転させ、それにより前記小羽根１３８を回転させて送風させ、同時に前記動力傘歯車１４２が前記伝動軸傘歯車１３９を連動させ前記伝動軸１３６を回転連動させ、それにより前記プーリ軸１３３と前記頂部回転軸１２５を回転させ、それにより前記大羽根１２４を回転させて送風させ、前記乾燥チャンバ１２０の前後端壁には電熱線１４５が固定的に設置される。
【００１７】
有益なように、前記靴下５００の中の底部にはソフトパッキン３００が固定的に設置されており、前記ソフトパッキン３００が弾性的に設置され、緩衝でき、前記靴下５００のレッグ部には通気穴３０１が設置されており、前記通気穴３０１が乾燥することに便利である。
【００１８】
以下、付図１〜３及び上記の本願発明の乾燥しやすい靴下及び付帯装置の具体的な構造を参考してその使い方を詳しく説明し、まず、初期状態の時、スライド箱１３７が最大程度に主チャンバ１１３の中に位置し、扉１１２が閉じる状態にあり、同時に底軸傘歯車１１６を支持軸傘歯車１１７と中軸傘歯車１１５と噛み合わせる。
【００１９】
本装置は作業する時、まず操作員が手動でに扉１１２を開け、押し引き棒１２７を回転させ、それにより押し引きブロック１２８を滑り出させ、スライド箱１３７を片側にスライドさせ、中軸傘歯車１１５と上歯車１０５とを噛み合わせ、この時操作員が靴下を支持棒１２３に掛け、同時に踏み棒１０９を踏み、リンク１０８を回転させ、リンク１０８が伝動歯車１０４を回転連動させ、それにより上歯車１０５を中軸傘歯車１１５を回転連動させ、中軸１１９が回転し、それにより中軸頂歯車１４８が横軸１４６を回転連動させ、それにより転輪傘歯車１５２を回転させ、それにより回転輪１１２を回転できるようにさせ、そしてもう一つを掛け、片側の支持棒１２３がいっぱいになると手動でハンドル１３０を回して支持ボード１４７を回転させ、そしてもう一つの側にいっぱいまで掛け、そして手動で扉１１２を閉じ、底軸傘歯車１１６を支持軸傘歯車１１７と中軸傘歯車１１５と噛み合わせ、この時回転モーター１０１を始動し、回転モーター１０１が底軸１０２を回転連動させ、支持軸１１８と中軸１１９とを逆方向に回転させ、それにより支持ボード１４７と回転輪１２２を回転させ、同時にモーター１４０を始動し、動力軸１４１が小羽根１３８を回転連動させ、同時に伝動軸１３６を回転連動させ、それによりプーリ軸１３３と頂部回転軸１２５を回転させ、それにより大羽根１２４と小羽根１３８を送風させ、同時に電熱線１４５が始動して靴下を乾燥させる。
【００２０】
本発明の実施例を示して説明したうえ、本分野の技術者にとって、本発明の総体精神や発想から離脱しない場合で、以上の実施例に各種な変形と、変化と、切替と変形ができ、本発明の範囲は付着される特許文献及びそれと同等物に制限されるべきである。
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
正面視で、主体と靴下を含み、前記主体の中には主チャンバが設置されており、前記主チャンバの中にはスライド箱がスライドできるように取り付けられ、前記スライド箱の頂端には押し引きブロックが固定的に設置されており、前記スライド箱の中には乾燥チャンバが設置されており、前記乾燥チャンバの中には支持機構と乾燥機構が設置されており、前記支持機構は前記靴下を支持でき、前記スライド箱の底端には底チャンバが設置されており、前記主体の底端には両側が相互に対称的に設置される支持ブロックが設置されており、左側に位置する前記支持ブロックの前側端面には踏み棒がヒンジで設置され、前記踏み棒の片側にはリンクがヒンジで連結され、前記主体の底端には伝動歯車が回転できるように設置されており、前記リンクの片側端と前記伝動歯車とがヒンジで連結され、前記伝動歯車の頂部には小軸が回転できるように設置されており、前記小軸の頂端には上歯車が固定的に設置されており、前記小軸の底端には下歯車が固定的に設置されており、前記下歯車と前記伝動歯車とが噛み合い、前記主体の片側端面の中には扉軸が回転できるように設置されており、前記扉軸の一端には扉が固定的に設置されており、前記扉が回転して開くことができ、前記扉の頂部には押し引き棒が固定的に設置されており、前記押し引き棒が回転して開ける時に前記押し引きブロックを前へ引き出し、それにより前記スライド箱を前へスライドさせ、
前記支持機構は前記乾燥チャンバの底壁の中に設置される支持軸を含み、前記支持軸の頂端には支持ボードが固定的に設置されており、前記支持軸の底端には前記底チャンバの中に位置する支持軸傘歯車が固定的に設置されており、前記支持ボードの中には中部チャンバが設置されており、前記中部チャンバの両側端壁の中にはいずれも横軸が回転できるように設置されており、前記横軸の片側端には横軸動力歯車が固定的に設置されており、前記横軸のもう一端には横軸従動歯車が固定的に設置されており、前記横軸従動歯車の後側には転輪傘歯車が噛合設置されており、前記転輪傘歯車の後側端には回転輪が伝動できるように連結され、前記回転輪の両側が対称的に設置されており、前記回転輪の片側端には六組の支持棒が固定的に設置されており、前記支持ボードの頂端には上へ伸びている手回し軸が固定的に設置されており、前記手回し軸の頂端には手回しハンドルが固定的に設置されており、前記支持軸の中には中軸が回転できるように設置されており、前記中軸の頂端には中軸頂歯車が固定的に設置されており、前記中軸頂歯車と前記横軸動力歯車とが噛合設置されており、前記中軸の底端には中軸傘歯車が固定的に設置されており、前記主チャンバの片側端壁の中には回転モーターが固定的に嵌めており、前記回転モーターの一端には底軸が伝動できるように連結され、前記底軸  の一端には底軸傘歯車が固定的に設置されており、前記回転モーターが底軸を回転連動させ、前記支持軸と前記中軸とを逆方向に回転させ、それにより回転輪を回転させ、同時に支持ボードが回転し、それにより前記支持棒に掛けた靴下を回転させて便利に乾燥させ、
前記乾燥機構は前記乾燥チャンバの片側端壁の中に嵌めているモーターを含み、前記モーターの片側端には動力軸が伝動できるように連結され、前記動力軸の片側端には小羽根が固定的に設置されており、前記動力軸の外壁には動力プーリが円周方向に固定的に設置されており、前記動力プーリと、前記小羽根と前記動力軸とが上下に対称的に設置され、上下に対称的な前記の間が底部ベルトによって伝動できるように連結され、頂部に位置する前記動力軸の外壁には動力傘歯車が固定的に設置されており、前記乾燥チャンバの頂壁の中にはベルトチャンバが設置されており、前記ベルトチャンバの底壁の中には上下に伸びて設置される伝動軸が回転できるように設置されており、前記伝動軸の底端には伝動軸傘歯車が固定的に設置されており、前記伝動軸傘歯車と前記動力傘歯車とが噛合設置され、前記伝動軸の頂端には前記ベルトチャンバの中に位置する伝動プーリが固定的に設置されており、前記伝動プーリの片側にはプーリ軸が回転できるように設置されており、前記プーリ軸と前記伝動軸との間には頂部ベルトにより伝動できるように連結され、前記プーリ軸の片側には頂部回転軸が回転できるように設置されており、前記頂部回転軸と前記プーリ軸との底端にはいずれも前記乾燥チャンバの中に位置する大羽根が固定的に設置されており、前記頂部回転軸と前記プーリ軸との間が中部ベルトによって伝動できるように連結され、前記中部ベルトが前記ベルトチャンバの中に位置し、前記手回し軸が前記ベルトチャンバを貫通し、前記モーターが回転し、前記動力軸を回転させ、それにより前記小羽根を回転させて送風させ、同時に前記動力傘歯車が前記伝動軸傘歯車を連動させ前記伝動軸を回転連動させ、それにより前記プーリ軸と前記頂部回転軸を回転させ、それにより前記大羽根を回転させて送風させ、前記乾燥チャンバの前後端壁には電熱線が固定的に設置され、
前記靴下の中の底部にはソフトパッキンが固定的に設置されており、前記ソフトパッキンが弾性的に設置され、緩衝でき、前記靴下のレッグ部には通気穴が設置されており、前記通気穴が乾燥することに便利であることを特徴とする乾燥しやすい靴下及び付帯装置。